(57)【要約】  組成物とこの組成物を含有する容器とを含む物品。容器は、そこに適用されるコーティングを有する水溶性部分を含む。水溶性部分は、視覚表示、触覚表示、音声表示、又はこれらの組み合わせからなる群から選択される少なくとも１つの表示を含む。【特許請求の範囲】
【請求項１】
物品であって、
ａ．組成物と、
ｂ．前記組成物を含有する容器であって、前記容器は水溶性部分を含み、該水溶性部分はそこに適用されるコーティングを有する容器と、を含有し、
前記水溶性部分は、視覚表示、触覚表示、音声表示、又はこれらの組み合わせからなる群から選択される少なくとも１つの表示を含む、物品。
【請求項２】
前記少なくとも１つの表示が、特性を暗示する、又は前記容器中の製品組成物の使用を伴う、請求項１に記載の物品。
【請求項３】
前記少なくとも１つの表示が二次元である、請求項１に記載の物品。
【請求項４】
前記少なくとも１つの表示が三次元である、請求項１に記載の物品。
【請求項５】
前記視覚表示が活性な図柄である、請求項１に記載の物品。
【請求項６】
活性な図柄が、温度、ｐＨ、天然光、紫外線、接触、水、又はこれらの組み合わせにより活性化される、請求項５に記載の物品。
【請求項７】
前記水溶性部分が、内側表面及び反対の外側表面を有し、前記コーティング及び前記少なくとも１つの表示が、前記内側表面又は前記外側表面に適用される、請求項１に記載の物品。
【請求項８】
前記水溶性部分が、内側表面及び外側表面を有し、前記コーティングが前記内側又は前記外側表面に適用され、並びに、前記表示が他の表面に適用される、請求項１に記載の物品。
【請求項９】
前記少なくとも１つの表示が、前記コーティングに組み込まれる、請求項１に記載の物品。
【請求項１０】
前記組成物が、洗濯洗剤組成物、布地ケア組成物、食器洗浄洗剤組成物、硬質表面洗浄組成物、食品組成物、又は飲料組成物から選択される、請求項１に記載の物品。
【請求項１１】
前記容器が前記組成物の１回用量を含む、請求項１に記載の物品。
【請求項１２】
物品であって、
ａ．組成物と、
ｂ．前記組成物を含有する容器と、を含有し、前記容器は水溶性部分を含み、
前記水溶性部分は活性な図柄を含む、物品。
【請求項１３】
請求項１に記載の少なくとも１つの物品を含む包装であって、
ａ．前記包装の少なくとも一部が透明であるか、又は
ｂ．前記包装が、その中に含有される物品の検査を可能にする開口部を含むか、又は
ｃ．これらの組み合わせ、である包装。
【請求項１４】
包装であって、
ａ．請求項１に記載の第一物品であって、第一組成物を含む前記第一物品と、
ｂ．請求項１に記載の第二物品であって、前記第一組成物とは異なる第二組成物を含む前記第二物品と、
ｃ．任意に、請求項１に記載の１つ以上の更なる物品であって、前記１つ以上の更なる物品はそれぞれ、前記他の組成物とは異なる更なる組成物と、を含む、包装。
【請求項１５】
包装であって、
ａ．請求項１に記載の第一物品であって、少なくとも１つの第一表示を含む前記第一物品と、
ｂ．請求項１に記載の第二物品であって、前記第一表示とは異なる少なくとも１つの第二表示を含む前記第二物品と、
ｃ．任意に、請求項１に記載の１つ以上の更なる物品であって、前記１つ以上の更なる物品はそれぞれ、前記他の表示とは異なる少なくとも１つの更なる表示を含む更なる物品と、を含む、包装。
【発明の詳細な説明】
【技術分野】
【０００１】
この発明は、製品組成物と水溶性部分及び表示を有する容器とを含む物品に関する。また本発明は、物品を含む包装に関する。
【背景技術】
【０００２】
水溶性基材は、容器のような梱包材料として使用するために、より広く受け入れられている。これらの容器は、容器が水溶液に浸漬されるときに放出されるべき製品組成物を含む。こうした容器の例は、サシェ及びパウチであり、多くの場合、製品組成物の１回用量を含む。
【０００３】
水溶性パウチに対する消費者の最も一般的な不満は、水溶性パウチが偶然少量の水にさらされたとき、例えば、パウチが販売され、購入された後、保管中に濡れた手、高湿度、水漏れする流し台、又はパイプから、外部包装の内部に水が入ると、望ましくないパウチの溶解につながることである。これは、水溶性パウチが、使用前に漏れる及び／又は互いに粘着する原因となる可能性がある。２番目に多いよくある不満は、使用の際に水溶性パウチが完全に溶解しないことである。
【０００４】
多くの場合、水溶性パウチはまた審美的に魅力がない。水溶性パウチを審美的により魅力的にする１つの試みがなされてきた。方法ブランド名（Method brand name）の下で販売され、自動食器洗浄組成物の１回用量を含む水溶性パウチには、ロゴが印刷されてきた。
【０００５】
また、いまだ多くの消費者は、従来の製品に替えてこれらの新しい種類の製品を使用することに消極的で、又、これらの製品が正しく使用されるべき方法を厳密には知らない。
【発明の開示】
【発明が解決しようとする課題】
【０００６】
従って、審美的に魅力がありながらも、少量の水への露出に対する溶解に対して耐性が向上したり、及び／又はユーザーがこうした物品を正しく使用するのを助けるという、水溶性基材とそれから製造される物品への満たされていない必要性が残る。
【課題を解決するための手段】
【０００７】
従って、上述の問題の全てを克服して、水溶性部分を含む物品を提供することが本発明の目的であり、それは溶解に対する耐性を向上させ、審美的に魅力があり、及び／又は物品を正しく使用する方法をユーザーに知らせることである。
【０００８】
本発明は、組成物と上述の組成物を含有する容器とを含む物品に関する。水溶性部分を含み、この水溶性部分はそこに適用されるコーティングを有する。水溶性部分は、視覚表示、触覚表示、音声表示、又はこれらの組み合わせからなる群から選択される少なくとも１つの表示を含む。
また本発明は、１つ以上のこれらの物品を含む包装に関する。
【発明を実施するための最良の形態】
【０００９】
本発明は、容器及び組成物を含む物品に関する。容器は、例えば、製品組成物を保持するためのパウチ、サシェ、カプセル、バッグ等の形態であることができる。容器は水溶性部分を含む。水溶性部分は、そこに適用されるコーティングを有し、視覚表示、触覚表示、音声表示、又はこれらの組み合わせからなる群から選択される少なくとも１つの表示を含む。容器は、１回用量の組成物を含むことが好ましい。
【００１０】
水溶性部分
水溶性部分は、容器の外側表面積全体の５％ほど、好ましくは少なくとも１０％、より好ましくは少なくとも２０％、更により好ましくは少なくとも３０％、及び最も好ましくは少なくとも４０％に相当してもよい。非常に好ましい容器は、容器の外側表面積全体の５０％〜１００％の表面積に相当する水溶性部分を含む。
【００１１】
水溶性部分は、ポリマー材料で製造された基材であり、且つ最大孔径２０μｍを有するガラスフィルターを用いた後、本明細書に記載の方法によって測定される場合に、少なくとも５０重量％の水溶解度を有する。好ましくは、基材は、少なくとも７５重量％、又は更により好ましくは少なくとも９５重量％の水溶性を有する。
【００１２】
５０グラム±０．１グラムの基材材料を、予め秤量した４００ｍＬビーカーの中に添加し、２４５ｍＬ±１ｍＬの２５℃の蒸留水を添加する。これを、６００ｒｐｍに設定された磁性攪拌器上で、３０分間激しく攪拌する。次に混合物を、上記に規定したような孔径（最大２０ミクロン）を有する折り畳み定性焼結ガラスフィルターを通して濾過する。収集した濾液から任意の従来の方法によって水を蒸発し、残った物質の重量を測定する（これが溶解した画分である）。その結果、溶解度の％が算出できる。
【００１３】
基材材料として使用するのに適した好ましいポリマー類、コポリマー類、又はこれらの誘導体は、ポリビニルアルコール（ＰＶＡ）、ポリビニルピロリドン、ポリアルキレンオキシド、アクリルアミド、アクリル酸、セルロース、セルロースエーテル類、セルロースエステル類、セルロースアミド類、ポリビニルアセテート類、ポリカルボン酸類及び塩類、ポリアミノ酸類又はペプチド類、ポリアミド類、ポリアクリルアミド、マレイン酸／アクリル酸類のコポリマー類、デンプン及びゼラチンを包む多糖類、キサンタン（xanthum）及びカラガム（carragum）などの天然ゴム類、ポリアクリレート類及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類、ポリビニルアルコールコポリマー類、ヒドロキシプロピルメチルセルロース（ＨＰＭＣ）、並びにこれらの混合物から選択される。最も好ましいポリマーはポリビニルアルコールである。基材中のポリマーの量は、少なくとも６０％であることが好ましい。
【００１４】
水溶性フィルムの市販の例は、米国インディアナ州ゲーリー（Gary）のクリス−クラフト・インダストリアル・プロダクツ（Chris-CraftIndustrial Products）から販売され、商品照会名Ｍｏｎｏｓｏｌ  Ｍ８６３０として知られているＰＶＡフィルム、並びに、それに相当する溶解度及び変形の特性を有するＰＶＡフィルムである。本明細書で用いるのに好適な他のフィルムとしては、アイセロ（Aicello）により供給される商品照会名ＰＴフィルム、若しくはＫ−シリーズとして既知のフィルム、又はクラレ（Kuraray）により供給されるＶＦ−ＨＰフィルムが挙げられる。
【００１５】
コーティング
水溶性部分は、そこに適用されるコーティングを有する。コーティングは、水溶性であることができる。しかし、それは水溶性部分ほどには水溶性でない。コーティングは非水溶性であることが好ましい。「非水溶性」とは、上述の方法に従って測定して、溶解度が５０重量％未満であることを意味する。好ましくはコーティングは、４０重量％未満、より好ましくは３０重量％未満、及び最も好ましくは１０重量％未満の水溶性を有する。非水溶性材料は、非水溶性無機材料又は非水溶性有機材料であってよい。また、非水溶性材料は、合成ポリマーであってもよい。こうした材料の例は、同時係属米国特許出願第６０／８５６５８１号（Ｐ＆Ｇケース番号ＣＭ３１１１Ｐ２）に記載されている。容器が時期尚早に溶解すること、及び製品組成物が容器から漏れることを避けるため、コーティングは、水溶性基材への偶然の水接触に対して改善された抵抗を提供する。
【００１６】
好適なコーティングは、同時係属米国特許出願第６０／８５６５８１号（Ｐ＆Ｇケース番号ＣＭ３１１１Ｐ２）に記載のような、均質の層の形態（例えば、実質的に連続フィルムの形態）であることができ、これは参照として本明細書に組み込まれる。
【００１７】
コーティングは、同時係属米国特許出願第６０／８１８６９３号（Ｐ＆Ｇケース番号ＣＭ３１１２ＦＰ）に記載のような、粒子の形態であることもでき、これは参照として本明細書に組み込まれる。好ましくは、粒子は５００マイクロメートル以下、より好ましくは３００マイクロメートル以下、更により好ましくは０．０１〜３００マイクロメートルの平均直径を有する。最も好ましくは、粒子は、平均粒子直径０．０１〜１マイクロメートルのナノサイズの範囲である。水溶性基材１０をナノサイズの粒子でコーティングすると、コーティングが透明になるという効果を更に提供し、審美的に好ましい。
【００１８】
コーティングは、同時係属米国特許出願第６０／８５６５７８号（Ｐ＆Ｇケース番号ＣＭ３１１３Ｐ２）に記載されるようなｐＨ感受性コーティングの形態であることもでき、これは参照として本明細書に組み込まれる。
【００１９】
コーティングは、同時係属米国特許出願第６０／８５６４６８号（Ｐ＆Ｇケース番号ＣＭ３１１４Ｐ２）に記載されるような別個の領域に適用することができ、又はコーティングの形態であることもでき、これは参照として本明細書に組み込まれる。このように、視覚的に魅力のある模様を作製することができる。
【００２０】
コーティングは、同時係属米国特許出願第６０／８１８６８９号（Ｐ＆Ｇケース番号ＣＭ３１１５ＦＰ）に記載されるような可撓性コーティングの形態であることもでき、これは参照として本明細書に組み込まれ、又は同時係属米国特許出願第６０／８５６５８０号（Ｐ＆Ｇケース番号ＣＭ３１１６Ｐ２）に記載されるような多層のコーティングの形態であることもでき、これは参照として本明細書に組み込まれる。
【００２１】
コーティングは、同時係属米国特許出願第６０／８１８６９１号（Ｐ＆Ｇケース番号ＣＭ３１１７ＦＰ）に記載されるようなガラスビーズの形態であることもでき、これは参照として本明細書に組み込まれる。
【００２２】
水溶性部分は、内側表面及び反対の外側表面、並びに内側表面と外側表面の間の厚さを有する。内側表面は、容器の内部に面する水溶性部分の表面であり、一方、外側表面は、容器の外側表面を形成する。コーティングは、内側表面、外側表面、又は両表面に適用されることができる。
【００２３】
表示
水溶性部分は、少なくとも１つの表示を含む。表示は、視覚表示、触覚表示、音声表示、又はこれらの組み合わせからなる群から選択される。表示は、審美的効果を提供することができ、ユーザーに信号を提供することができ、ユーザーにメッセージを伝達することができ、特定の情緒的感覚（例えば楽しみ）を引き出すことができ、又はこれらのいずれかの組み合わせを提供できる。表示は、二次元、又は三次元であることができる。好ましい実施形態においては、特性を暗示し、又は物品及び／若しくは製品組成物の使用を暗示する。
【００２４】
単一の色、異なる色の組み合わせ、色の陰影、単語、単語の組み合わせのような文字情報、又は図、写真、若しくは描画のようないずれかの図形表示、並びにこれらの組み合わせを包含する視覚表示は、人間の目によって体験される。水溶性部分上の視覚表示は、インク、染料、又は顔料含有組成物を使用して作製できる。インク、染料又は顔料含有組成物は、スプレー、ナイフ、ロッド、キス、スロット、塗装、印刷及びこれらの混合を包含するいずれかのコーティングプロセスを用いて、水溶性部分に適用できる。印刷は、本明細書に用いるのに好ましい。また、それらは、約３０ｃｍの距離から人間の目によって識別できるいくらかの三次元の効果を作り出す粒子を適用することによって、製造することもできる。粒子は、粉末の形態で、ジェットを使用し又は静電容量的に適用されることができる。別の方法としては、結合剤を使用してよい。粒子は、スプレー、ナイフ、ロッド、キス、スロット、ペイント、印刷及びこれらの混合を包含するいずれかのコーティングプロセスを用いて、溶液の形態で適用することもできる。印刷は、本明細書に用いるのに好ましい。視覚表示の非限定的な実施例としては、容器内部の製品組成物の色（単色は複数の色）と対照をなす単色若しくは複数の色との組み合わせと、容器内部の製品組成物の色（単色若しくは複数の色）に類似（例えば、わずかに異なる色調若しくは陰影）又は同等である単色若しくは複数の色の組み合わせと、製品組成物若しくは物品の他の部分（例えば、容器内部の気泡）の他の色との干渉色を通じて、視覚効果を形成する単色若しくは複数の色の組み合わせと、縞、円、点のような図形要素と、例えば洗浄力（例えば、泡）、柔らかさ、香り、鮮度、味覚、又はにおいのような製品組成物の特性を暗示する単色、複数の色の組み合わせ、図形若しくは文字表示と、例えば文字列、単一図形、若しくは図形の配列を通じての物品の使用方法などの指示若しくは一連の指示と、ロゴと、製造業社の名称と、例えば漂白剤のような特定成分の名称と、例えば物品の使用方法を表す漫画キャラクターのようなキャラクターと、製品組成物の深く洗浄する特性を暗示する三次元の表面と、又はこれらの組み合わせが挙げられる。
【００２５】
非常に好ましい実施形態においては、表示は活性な図柄（active graphic）である。用語「活性な図柄（active graphic）」とは、使用中も含めて、変化する環境条件により、消える、弱まる、現れる、再び現れる、又はさもなければ変化する図形を意味する。表示を活性化させるものの例としては、温度、ｐＨ、天然光、紫外線、接触、水、又はこれらの組み合わせが挙げられる。活性視覚表示の例は、水溶性インク、感熱インク、ｐＨ感受性インク、及びこれらの混合物である。
【００２６】
触覚表示は、接触によって体験される。例えば、製品組成物の洗う力又は汚れ除去特性を暗示する粗面や、例えば、製品組成物が皮膚に穏やかであり刺激的な成分を含まないこと、又は布地若しくは硬質表面を保護することを暗示する柔軟表面が、触覚表示の非限定的な実施例として挙げられる。水溶性部分上の触覚表示は、粒子を適用することで、或いは乾燥したときに所望の感触を提供するコーティング組成物を適用することによりで製造できる。粒子又は組成物は、上述の方法によって適用されてよい。触覚表示を作製するのに使用可能なインクの例は、ポリテックスエンバイロメンタルインク社（Polytex Environmental Inks）（米国、ニューヨーク州）からの水性インクＡｑｕａＲｕｆｆ及びＡｑｕａＰｕｆｆである。
【００２７】
音声表示は、人間の耳により感じられる。音声表示の一例は、例えば、製品組成物の洗う力を示すために、物品の取扱時又は物品に触れるときに引っ掻き音を発生させる表示である。これは、例えば粗粒子を適用することにより得られる。音声表示の別の例は、水に接触するときにシューというノイズを発生させる表示である（例えば、製品組成物が活性であることを示すために）。こうした効果を提供する化学薬品は、当該技術分野において周知である。
【００２８】
水溶性部分は、視覚、触覚、又は音声表示から選択される少なくとも１つの表示を含むが、好ましくは１つのカテゴリー（即ち視覚のみ、触覚のみ、音声のみ）から選択されるか、又は少なくとも２つのこれらのカテゴリーから選択される表示の組み合わせを含む。
表示は、様々な方法で形成又は適用できる。
【００２９】
第一実施形態においては、表示は、水溶性部分のコーティングに印刷又は適用できる。別の方法としては、表示は、そこに適用されるコーティングを有する水溶性部分の反対の表面に印刷又は適用され得る。表示は、容器の外側表面に存在してよく、或いは容器の内側表面に存在してよい。後者においては、コーティングされた水溶性部分を通して表示が見えるように、透明又は半透明のコーティングが好ましい。
【００３０】
第二実施形態においては、表示は、コーティングに組み込まれ得る、又はコーティングの一部を形成する。例えば、着色された組成物で充填されたガラスビーズのコーティングを、審美的効果を形成するために使用してよい。別の例は、多層のコーティングを使用する。ここで、第一コーティング層は、水溶性基材に適用される。その後、１つ以上の図が第一コーティング層に適用される。その後、第二の透明なコーティング層が、印刷された第一コーティング層の上面に適用される。コーティングに組み込まれている表示の長所は、表示自体が溶解に耐性があるということである。これは、表示が水溶性染料で作られた図である場合に、特に重要である。
【００３１】
水溶性基材の製造方法
本明細書に記載される水溶性基材の製造方法の、多数の非限定的実施形態が存在する。
【００３２】
１つの実施形態では、方法は、事前に形成された水溶性基材を提供すること、並びに、事前に形成された水溶性基材の表面の少なくとも１つにコーティングを適用することを含む。
【００３３】
コーティングは、事前に形成された水溶性基材に多くの異なる方法で適用できる。１つの非限定的実施形態においては、コーティングは、事前に形成された水溶性基材の少なくとも１つの表面に、粒子又は粉末の形態で適用される。好ましくは、粒子若しくは粉末はジェットを介して、又は静電容量的に水溶性基材に適用される。ジェットの高速のために、いくらかの粒子又は粉末は基材に埋め込まれ、それによって結合剤を使用する必要が減少、又は解消されさえする。同様に、粒子又は粉末が静電容量的に適用されるとき、一般に結合剤は必要でない。それでもなお、結合剤を使用してよい。粒子又は粉末を適用する前に、結合剤を水溶性基材に最初に適用してよい。或いは、別の方法としては、結合剤を、粒子又は粉末と混合してよく、その後、混合物は水溶性基材に添加される。
【００３４】
方法の別の非限定的実施形態においては、コーティングは、少なくとも１つの水溶性基材の表面上に適用される溶液の形で提供され、乾燥され又は乾燥プロセスに付される。溶液は、スプレー、ナイフ、ロッド、キス、スロット、ペイント、印刷、及びこれらの混合を包含するあらゆるコーティング工程により、フィルム上に適用されることができる。印刷は本明細書に用いるのに好ましい。印刷はよく確立された経済的な方法である。印刷は、インク及び染料で通常行なわれ、模様と色を基材に付与するために使用されるが、本発明の場合には、印刷は水溶性基材上に水溶性が小さい材料を付着するために使用される。あらゆる種類の印刷方法を使用することができ、輪転グラビア、石版印刷、フレキソ印刷、ポーラス及びスクリーン印刷、インクジェット印刷、凸版印刷、タンポグラフィー、並びにこれらの組み合わせが挙げられる。
【００３５】
これらの実施形態はまた、事前に形成された水溶性基材にコーティングを適用する前に、水溶性基材の少なくとも１つの表面の少なくとも一部分を湿潤する工程を含んでもよい。水溶性基材の少なくとも１つの表面の湿潤は、基材の表面の外側部分を少なくとも部分的に（即ち、基材の厚み方向の一部を）溶解する又は可溶化するために用いられてよい。水溶性基材は、コーティングを基材に部分的に埋め込むために、任意の好適な深さまで少なくとも部分的に可溶化されてよい。好適な深さとしては、全体の基材の厚さの約１％〜約４０％若しくは約４５％、約１％〜約３０％、約１％〜約２０％、約１％〜約１５％、又は約１％〜約１０％が挙げられるが、これらに限定されない。その後、コーティングは、基材の表面の少なくとも１つの部分的に溶解した部分に適用される。これにより、基材の表面の外側部分の中にコーティングを埋め込むことができ、基材のより永続的な部分となることができる。その後、そこに埋め込まれたコーティングを有する基材の湿潤表面は、乾燥され得る。また方法のこうした実施形態は、乾燥後に、水溶性基材の表面上に残るいずれかの遊離したコーティング又は過剰のコーティングの少なくともいくらかを、例えば基材の表面を拭くこと又は掃うことにより取り除く工程を含んでもよい。
【００３６】
別の実施形態においては、基材が製品になった後に、コーティングを水溶性基材に添加することができる。例えば、組成物を含有する水溶性パウチを形成するために水溶性基材が使用される場合、コーティングを水溶性パウチの表面の少なくとも一部分上の基材に、添加することができる。
【００３７】
方法の別の非限定的実施形態においては、コーティングは、複数の適用段階において適用される。第一コーティング層は、上記方法のいずれに従っても水溶性基材に適用され、所望により乾燥される。続いて、所望のコーティング厚さが得られるまで、１つ以上の追加のコーティング層を添加してよく、所望により乾燥される。このように、比較的厚いコーティングを薄い水溶性基材上に作製することができる。
【００３８】
方法の別の非限定的実施形態においては、コーティング層は別個に形成されてよく、その後、水溶性基材の表面に適用される。
【００３９】
物品
簡潔化のために、本明細書における関与の物品は、水溶性パウチ（即ち、容器全体が水溶性である）に関して記載されるであろうが、本明細書の議論はまた、他のタイプの容器にもあてはまることが理解されなければならない。
【００４０】
水溶性パウチの水中への浸漬などにより、水溶性パウチから組成物を放出することが望まれるまで、パウチはその中に含有される組成物を保持するのに適した任意の形態及び形状であることができる。パウチは、１つの区画又は２つ以上の区画を含むことができる（即ち、パウチは多区画パウチであることができる）。１つの実施形態では、水溶性パウチは、ほぼ重ねておかれる関係の２つ以上の区画を有してもよく、また、パウチは、ほぼ向かいあった上方及び下方の対向する外壁、パウチの側面を形成するスカート状の側壁、並びに異なる区画を互いから分離する１つ以上の内部隔壁を含む。パウチ内に含有される組成物が異なる形態又は構成成分を含む場合には、組成物の異なる構成成分は、水溶性パウチの異なる区画内に収容されてもよく、水溶性材料の障壁により互いから分離されてもよい。
【００４１】
パウチ又は他の容器は、洗濯洗剤組成物、自動食器洗浄洗剤組成物、硬質表面洗浄剤、染み除去剤、布地増強剤及び／若しくは布地柔軟材、食品及び飲料として使用し、又はそれらにおける使用のための１つ以上の組成物を含有する。パウチ内の組成物は、液体、液体ゲル（liquigels）、ゲル、ペースト、クリーム、固体、顆粒、粉末等が挙げられるが、これらに限定されない任意の好適な形態であることができる。多区画パウチの異なる区画は、適合性のない成分を分離するために用いられてもよい。例えば、漂白剤と酵素を別の区画内に分離することは望ましい可能性がある。多区画の実施形態の他の形としては、液体含有区画と組み合わされた粉末含有区画を挙げてもよい。多区画水溶性パウチの追加の実施例は、米国特許第６，６７０，３１４Ｂ２号（スミス（Smith）ら）に開示されている。
【００４２】
水溶性パウチは、任意の好適な水溶液（例えば、熱水又は冷水）中に投入されてよく、すぐに水溶性パウチを形成する水溶性基材が溶解してパウチの内容物を放出する。
【００４３】
水溶性パウチを製造するためのいくつかのプロセスが存在する。これらには、垂直型充填封止プロセス（vertical form-fill-sealing processes）、水平型充填封止プロセス（horizontal form-fill-sealing processes）、及び円形ドラム表面上の金型内でのパウチ形成として、当該技術分野において既知のプロセスが挙げられるが、これらに限定されない。垂直型充填封止プロセス（form-fill-sealing processes）では、基材を折り畳むことにより垂直管が形成される。管の底末端部が封止されて、開放型パウチが形成される。このパウチは、上部空間に余裕をもたせて部分的に充填される。開放型パウチの最上部は、その後共に封止されてパウチを閉じ、次の開放型パウチを形成する。続いて第一パウチが切り取られ、プロセスが繰り返される。こうしたやり方で形成されたパウチは、通常は枕形状を有する。水平型充填封止プロセス（form-fill-sealing processes）は、一連の金型をその中に有するダイを用いる。水平型充填封止プロセス（form-fill-sealing processes）では、基材がダイの中に設置され、これらの金型の中で開放型パウチが形成され、これらは次に充填され、基材の別の層により覆われ、封止されることができる。第三プロセス（円形ドラム表面上の金型内でのパウチの形成）では、基材はドラム上を循環し、ポケットが形成され、これは充填機の下を通過して開放型ポケットを充填する。充填及び封止は、ドラムにより描かれる円の最高点（頂点）において行なわれ、例えば典型的には、充填は回転ドラムが下向きの円運動を始める直前に、封止はドラムがその下向きの運動を始めた直後に行なわれる。
【００４４】
開放型パウチを形成する工程を伴うプロセスのいずれにおいても、基材は、熱成形、真空成形、又は両方を用いて、開放型パウチの形状に、初めに成形又は形成され得る。熱成形は、金型及び／若しくは基材を加熱するために金型を加熱要素と接触させる、熱気を吹き込む、又は加熱ランプを使用するなど、任意の既知の方法で熱を加えることによって、金型及び／又は基材を加熱することを伴う。真空成形の場合には、基材を金型に入れるのを助けるために、真空補助が使われる。他の実施形態では、２つの技術が組み合わされてパウチを形成することができ、例えば基材は、真空成形によって開放型パウチに形成されることができ、熱を供給してプロセスを促進することができる。次に、開放型パウチは、その中に含有されるべき組成物で充填される。
【００４５】
次に、充填された開放型パウチを閉じるが、これは任意の既知の方法によって行うことができる。水平型パウチ形成プロセスのような、いくつかの場合には、閉鎖は、水溶性基材のような第二の材料又は基材を開放型パウチのウェブの上方及びその上に連続的に送り、次に第一の基材と第二の基材を共に封止することによって行なわれる。第二の材料又は基材は、本明細書に記載される水溶性基材１０を含むことができる。コーティングが上に適用される第二の基材の表面は、パウチの外面を形成するように向き付けられることが望ましいことがある。
【００４６】
こうしたプロセスでは、第一及び第二の基材は、典型的には、金型間で、したがって隣接する金型内で形成されているパウチ間の領域において封止される。封止は、任意の方法によって行うことができる。封止の方法としては、熱封止、溶剤接着、及び溶剤又は湿潤封止が挙げられる。次に、封止されたパウチのウェブは、切断装置により切断されることができ、この切断装置は、ウェブ中のパウチを、別個のパウチに互いに切り離す。水溶性パウチを形成するプロセスは、米国特許出願第０９／９９４，５３３号、米国公開特許出願ＵＳ  ２００２／０１６９０９２  Ａ１（カトリン（Catlin）らの名前により公開）に更に記載されている。
【００４７】
包装
もう一つの側面によると、本発明は上述のような少なくとも１つの物品を含む包装に関する。
【００４８】
第一の実施形態では、包装の少なくとも一部は透明であり、包装は、そこに含有する物品（単数若しくは複数）、又はこれらの組み合わせを検査するための開口部を含む。
【００４９】
第二実施形態では、包装は、第一製品組成物を含む第一物品、第一製品組成物とは異なる第二製品組成物を含む第二物品を含む。所望により、包装は、全て包装内の他の製品組成物とは異なる更なる製品組成物を含む更なる物品を含んでよい。包装は、一連の物品を含んでよく、ここで製品組成物は、例えば異なる洗浄性能を提供する。別の実施例においては、包装は、異なる使用目的のための一連の物品を含んでよい（例えば、布地増強剤、布地柔軟剤、洗浄のための漂白剤含有組成物、布地コンディショナー等のような異なるタイプの布地処理組成物）。
【００５０】
第三実施形態では、包装は、第一表示を含む第一物品、第一表示とは異なる第二表示を含む第二物品を含む。所望により、包装は全て包装内の他の表示と異なる更なる表示を含む更なる物品を含んでよい。例えば、包装は、それぞれ独特の図形が印刷されている一連の物品を含んでよい。独特の図形の組み合わせは、ユーザー使用説明書のようなメッセージを提供してよく、ロゴ又はブランド名を形成してよく、又は漫画若しくは楽しい図形を作製してよい。別の実施例においては、異なる物品は、異なる触覚表示を含んでよく、一連の柔軟〜研磨表示のような、その中の組成物の異なる特性を暗示する。
【００５１】
同様に、あらゆる上記実施形態を組み合わせてよい。
【実施例】
【００５２】
シャムロック・テクノロジーズ（Shamrock Technologies）（ニュージャージー州、ニューアーク（Newark））から、ＮａｎｏＦｌｏｎ（商標）Ｗ５０Ｃとして供給される、ナノサイズ（およそ０．１ミクロン寸法）のＰＴＦＥコーティングを、水（１５％ナノフロンＷ５０Ｃ、８５％水）に分散し、Ｍｏｎｏｓｏｌの標準７６ミクロン（３ミル）ポリビニルアルコール系水溶性基材上に印刷する。ナノ粒子は、入射光線を屈折させないほど十分に小さく、それゆえに、コーティングされた水溶性基材は、コーティングしてない水溶性基材と同じ外見を有する（完全に透明、かすんでいない）。
【００５３】
液滴試験方法
基材が水との偶然の接触に対して耐性があるかどうかを判断するために、液滴試験方法が開発された。この試験においては、空洞状のパウチ（およそ５ｃｍ×５ｃｍ（２インチ×２インチ））が形成され、室温の水０．２ｍＬの液滴をパウチの形成された側に添加する。形成面は、空洞形成中にフィルムが薄くなるので、この試験のために圧力を加えられたケースである。水がパウチに接触するとすぐにストップウォッチを始動させ、パウチ本体において有意なフィルム変形が観察された時間を記録する。「変形までの時間」と称されるこの時間は、フィルム破損の前兆である。
【００５４】
【表１】
2009541156.tif 000002
【００５５】
重要なことだが、疎水性のナノサイズ材料は、非常に低濃度（０．２グラム／ｍ2）でコーティングされ、全体的なフィルム溶解度に影響を及ぼさない（完全浴試験）。たとえ非常に低濃度でも、ナノサイズの性質のために、露出した表面積は非常に大きい。
【００５６】
完全溶解度（完全浴）
攪拌した２３℃水浴にフィルムを浸漬し、フィルムが完全に（視覚的に）溶解するまでの時間を記録する。
【００５７】
【表２】
2009541156.tif 000003
【００５８】
パウチは、上のコーティングされた基材を使用して製造することができ、その後、視覚効果を作製するために染料で印刷することができる。
【００５９】
本明細書に開示されている寸法及び値は、列挙した正確な数値に厳しく限定されるものとして理解すべきではない。それよりむしろ、特に規定がない限り、こうした各寸法は、列挙した値とその値周辺の機能的に同等の範囲との両方を意味するよう意図されている。例えば、「４０ｍｍ」として開示される寸法は、「約４０ｍｍ」を意味するよう意図されている。
【国際調査報告】
2009541156.tif 000004
2009541156.tif 000005